(57)【要約】【課題】特別な膨張針又は膨張弁を用いずに、膨張針を可膨張性物品に容易に挿入できるようにする。    【解決手段】膨張針３６の外側長手表面へ給油するための小さなフットボール状或いはサッカーボール状の容器１２は、使用者の首周囲に掛けられるよう構成された紐を設けている。容器はその上端部に、膨張針の少なくとも一部分が通過する通路用の開口部１４を有するとともに、シリコーンなどの潤滑粒子或いは液体若しくは固体潤滑剤が開口部を通過するのを少なくとも部分的に防止する閉鎖位置から移動可能な閉鎖手段若しくは、円形ラバーシートを備えたゴムパッキン２４を有する。閉鎖手段はその開口位置では、容器内部の気体圧力が外部気体圧力と均衡状態になることを許容する。
2005520992.tif 000002
【特許請求の範囲】
【請求項１】
弾性的に可撓性があり実質的に気密状態の弁を有する物品を膨張させるのに適した膨張針の外側長手表面に給油するように構成された容器であって、
前記容器は、前記膨張針の長手軸心と実質的に一致する方向に、前記膨張針の縦方向長さの少なくとも一部分が通過する開口部と、前記開口部を介する液体又は固体潤滑剤の通過を少なくとも部分的に防止する閉鎖手段とを含み、
前記閉鎖手段は、前記開口部を介する液体又は固体潤滑剤の通過を少なくとも部分的に防止する閉鎖位置から、前記膨張針の少なくとも一部分が前記開口部を介して前記容器内部へ挿入されることを許容する開口位置へ移動可能であり、
前記開口位置において、前記閉鎖手段は、前記容器内部の気体圧力が前記容器の外部気体圧力と均衡状態になることを実質的に許容するとともに、前記膨張針の少なくとも一部分が前記開口部を介して挿入されている間、前記開口部を介する液体或いは固体潤滑剤の通過を少なくとも部分的に防止するよう構成されている、容器。
【請求項２】
前記開口部は前記容器の口部を含む請求項１記載の容器。
【請求項３】
前記閉鎖手段は、前記閉鎖位置と前記開口位置との間を移動可能な弾性的可撓性部分を有する密封部材を含む請求項１記載の容器。
【請求項４】
前記弾性的可撓性部分は、前記閉鎖位置にある場合、前記容器の一部分、及び／又は、前記密封部材の別の部分を少なくとも部分的に密封して、前記開口部を介する液体或いは固体潤滑剤の通過を少なくとも部分的に防止するよう構成されている請求項３記載の容器。
【請求項５】
前記閉鎖手段は弁を含む請求項１記載の容器。
【請求項６】
前記弁は前記容器の前記口部に取り付けられている請求項５記載の容器。
【請求項７】
前記弁は、外方向に突出した２つのフランジの間に形成された溝を含み、前記外方向突出フランジは、前記容器の前記口部に隣接する、前記容器の壁の外側表面と内側表面とに当接するよう構成されている請求項６記載の容器。
【請求項８】
前記弁は更に、所定の力が付与されると前記開口位置へ移動して前記膨張針の少なくとも一部分が貫通する開口を前記弁に形成するよう構成された弾性的可撓性フラップを含む請求項５ないし７のいずれかに記載の容器。
【請求項９】
前記容器は、液体及び／又は固体潤滑剤が少なくとも部分的に充填されている請求項１ないし８のいずれかに記載の容器。
【請求項１０】
前記潤滑剤は、固体潤滑剤を少なくとも部分的に含む潤滑粒子を含む請求項９記載の容器。
【請求項１１】
前記容器は、その内容積の少なくとも一部分に於いて潤滑剤を吸収しこれにより分散させるよう構成された潤滑剤吸収材が少なくとも部分的に充填されている請求項１ないし８のいずれかに記載の容器。
【請求項１２】
前記容器は、その内容積の少なくとも一部分に於いて前記液体潤滑剤を吸収しこれにより分散させるよう構成された液体吸収材が少なくとも部分的に充填されている請求項９記載の容器。
【請求項１３】
前記潤滑剤吸収材は詰め物を含む請求項１１又は１２記載の容器。
【請求項１４】
前記容器の内容積の少なくとも一部分を充填するとともに、前記容器の内容積の少なくとも一部分に於いて液体及び／又は固体潤滑剤を分散させるように構成された粒子を更に含む請求項１ないし８のいずれかに記載の容器。
【請求項１５】
弾性的に可撓性があり実質的に気密状態の弁を有する物品を膨張させるのに適した膨張針の外側長手表面に給油するように構成された容器であって、
前記容器は、前記膨張針の長手軸心と実質的に一致する方向に、前記膨張針の縦方向長さの少なくとも一部分を通過させる開口部を含み、
前記容器は、少なくとも部分的に固体潤滑剤で形成された複数の潤滑粒子を含むよう構成され、前記粒子と前記開口部とは、前記粒子が前記開口部を通過するのを防止されるような寸法に形成されている容器。
【請求項１６】
前記潤滑粒子は弾性的に可撓性であって、前記潤滑粒子の弾性変形により前記潤滑粒子の前記開口部への通過を容易にする請求項１０又は１５記載の容器。
【請求項１７】
前記容器を開いて前記容器内部の前記潤滑粒子を捕らえることを可能にする開口手段を更に含む請求項１０又は１５記載の容器。
【請求項１８】
前記開口手段は、閉鎖手段を介して閉鎖可能な相対的に大きな閉鎖可能開口を含み、前記開口は、前記閉鎖手段が開口位置へ移動した際に前記潤滑粒子を通過させるよう構成されている請求項１７記載の容器。
【請求項１９】
本体を含み、
前記本体は、少なくとも部分的に前記本体を貫通する通路を形成しており、
前記通路は、弾性的に可撓性があり実質的に気密状態の弁を有する物品を膨張させるに適した膨張針を受容するよう構成されており、
前記通路は、前記膨張針が前記通路内部に適切に受容された時に前記膨張針の長手軸心が前記通路の長手軸心と実質的に一致するように、前記膨張針を受容するよう構成されており、
前記本体は、前記通路の少なくとも一部分を形成するよう構成された弾性的可撓性保持手段を含み、
前記弾性的可撓性保持手段は前記通路内部への前記膨張針挿入時に弾性的に変形するよう構成されており、前記膨張針が前記通路へ挿入された時に前記弾性的可撓性保持手段は前記膨張針の外側表面に所定の力を付与し、その結果、前記膨張針と前記本体とに所定の力が付与されて、前記膨張針が前記通路から取り出されるまで、前記膨張針は前記通路内部に保持される、膨張針収納装置。
【請求項２０】
前記弾性的可撓性保持手段は前記本体を含み、前記本体は、前記通路を除いて中実であるとともに高密度発泡ゴムのような弾性的可撓性材で形成されている請求項１９記載の膨張針収納装置。
【請求項２１】
前記通路の直径は、前記通路が変形されていない場合、前記膨張針で膨張させられるよう構成された容器の、弾性的可撓性を有し、実質上気密状態の弁を貫通するよう構成された前記膨張針の一部分の直径よりも大きく、そして、ポンプに螺合接合されるよう構成された前記膨張針の拡張端部よりも小さい請求項１９又は２０記載の膨張針収納装置。
【請求項２２】
前記本体は前記通路を複数個含む請求項１９ないし２１のいずれかに記載の膨張針収納装置。
【請求項２３】
前記本体は更に別の通路を含み、前記別の通路は、前記通路よりも大きな直径を有するとともに、可撓性の細長い部材を通過させるよう構成されており、前記本体は、前記可撓性の細長い部材に支承されると前記可撓性の細長い部材の下方端部から垂れ下がるよう構成されている請求項１９ないし２２のいずれかに記載の膨張針収納装置。
【請求項２４】
弾性的に可撓性があり実質的に気密状態の弁を有する容器を膨張させるのに適した膨張針を収納する方法であって、
前記膨張針を弾性的可撓性部材内部に形成された通路内へ挿入して、前記膨張針の長手軸心を前記通路の長手軸心と実質的に一致させるともに、前記弾性的可撓性部材を、前記通路内部に於いて、使用に際しポンプと螺合接続されるよう構成されている前記膨張針の拡張端部の存在の故に少なくとも部分的に弾性的に変形させる工程を含む方法。
【発明の詳細な説明】
【技術分野】
【０００１】
本発明は、(a)可膨張性フットボール、サッカーボール等の可膨張性物品の弁を介して膨張針を挿入することにより膨張させられる上記可膨張性物品の膨張に関し、更に亦、(b)膨張針の収納に関する。
【背景技術】
【０００２】
上記(a)に関し、可膨張性フットボール、サッカーボールなどの可膨張性物品は一般的に、可膨張性物品が膨張させられる間及び膨張後のいずれに於いても可膨張性物品内部から気体が漏れるのを防止するよう設計された弁を介して膨張させられる。従って、弁は、可膨張性物品を膨張させる目的で挿入された膨張針の外側円筒状表面を密封しなければならない。可膨張性物品の弁は一般的にゴム状配合物で形成されている。弁は、可膨張性物品を膨張させる間、膨張針の外側円筒状表面を密封することが要求されるので、一般的に可膨張性物品内へ膨張針を挿入することは困難である。
【０００３】
特許文献１は、代替弁を設けて、可膨張性物品内部へ膨張針を挿入することの困難さに関する問題に取り組んでいる。この代替弁は、膨張針挿入通路を、膨張針がこの通路から引き抜かれる際に、自動的に給油するよう設計されている。この自動給油により、膨張針の次回挿入を容易にしている。
特許文献２は、代替膨張針を設けて、可膨張性物品内部への膨張針挿入の問題に取り組んでいる。この代替膨張針は、可膨張性物品内部への膨張針の挿入を助ける潤滑剤を含む材質で形成されている。
【０００４】
従って、可膨張性物品内部への膨張針の挿入の問題に取り組むために、特許文献１の代替弁を含む可膨張性物品を使用するか、あるいは、特許文献２の代替膨張針を使用することが必要になる。従って、膨張針の膨張弁への通過を容易にするように特別に設計された膨張針或いは膨張弁に頼らずに、可膨張性物品内部への膨張針挿入の問題に取り組むことが望まれる。
【０００５】
次に、冒頭の(b)に関し、膨張針は、ポンプへ取り付けられる時、或いは、ポンプから取り外される時、及び、損傷破壊されうるような場所や状態で収納される場合、容易に損傷或いは破壊されという問題がある。更に、膨張針は一般的に、厚紙やプラスチックでできた使い捨て包装品として販売されていたり、また、複数対で販売されることがある。このため、一対の膨張針の一方を取り出す際に使い捨て包装品が壊される場合、残りの膨張針が容易に紛失及びもしくは損傷されてしまうという問題がある。
【０００６】
従って、膨張針の収納に関する上記問題に少なくとも部分的に取り組むやり方で、１本或いは複数本の膨張針を収納するに適した膨張針収納装置を提供することが望まれる。
【特許文献１】英国特許第２１３８０１５号明細書
【特許文献２】米国特許第４０４３３５６号明細書
【発明の開示】
【課題を解決するための手段】
【０００７】
第１の発明は、弾性的に可撓性があり実質的に気密状態の弁を有する物品を膨張させるのに適した膨張針の外側長手表面に給油するように構成された容器を提供し、前記容器は、前記膨張針の長手軸心と実質的に一致する方向に前記膨張針の縦方向長さの少なくとも一部分が通過する開口部と、前記開口部を介する液体或いは固体潤滑剤の通過を少なくとも部分的に防止する閉鎖手段とを含み、前記閉鎖手段は、前記開口部を介する液体或いは固体潤滑剤の通過を少なくとも部分的に防止する閉鎖位置から、前記膨張針の少なくとも一部分が前記開口部を介して前記容器内部へ挿入されるのを許容する開口位置へ移動可能であり、前記開口位置において、前記閉鎖手段は、前記容器内部の気体圧力が前記容器の外部気体圧力と均衡状態になることを実質的に許容するとともに、前記膨張針の少なくとも一部分が前記開口部を介して挿入されている間、前記開口部を介する液体或いは固体潤滑剤の通過を少なくとも部分的に防止するよう、構成されている。
【０００８】
前記容器は、可膨張性フットボール或いはサッカーボールのような可膨張性物品の形状であることが好ましい。
前記開口部は前記容器の口部を含むことが好ましい。
前記閉鎖手段は、前記閉鎖位置と前記開口位置との間を移動可能な弾性的可撓性部分を有する密封部材を含むことが好ましい。
【０００９】
前記弾性的可撓性部分は、前記閉鎖位置にある場合、前記密封部材の別の部分を少なくとも部分的に密封して、前記開口部を介する液体或いは固体潤滑剤の通過を少なくとも部分的に防止するように構成されていることが好ましい。
前記弾性的可撓性部分は、前記閉鎖位置にある場合、前記容器の一部分を少なくとも部分的に密封するよう構成されていてもよい。
【００１０】
前記閉鎖手段は、前記容器の前記口部に取り付けられるよう構成されたカバーを含み、前記カバーの一部分は、前記開口位置から前記閉鎖位置へ移動して、前記容器と少なくとも部分的に密封状で係合して液体或いは固体潤滑剤が前記開口部を通過することを少なくとも部分的に防止するように構成されていてもよい。
あるいは、前記カバーは弾性的可撓性部分を有する蓋を含み、前記弾性的可撓性部分は、前記開口位置から前記閉鎖位置へ移動して前記蓋及び若しくは前記口部の別の部分と少なくとも部分的に密封状に係合して液体或いは固体潤滑剤が前記開口部を通過することを少なくとも部分的に防止するよう構成されていてもよい。
【００１１】
前記閉鎖手段は弁を含むことが好ましい．
前記弁は前記容器の前記口部に取り付けられていることが好ましい。
前記弁は前記容器の前記口部に少なくとも部分的に取り外し可能に取り付けられているのが好ましい。
前記弁は、外方向に突出した２つのフランジの間に形成された溝を含み、前記外方向突出フランジは、前記容器の前記口部に隣接する、前記容器の壁の外側表面と内側表面とに当接するよう構成されていることが好ましい。
【００１２】
前記弁は更に弾性的可撓性フラップを含み、前記弾性的可撓性フラップは、所定の力が付与されると前記開口位置へ移動して前記膨張針の少なくとも一部分が貫通する開口を前記弁に形成するよう構成されていることが好ましい。
前記弾性的可撓性フラップは、前記開口位置にある場合、容器の内方向へ伸張するよう構成されていることが好ましい。
前記弾性的可撓性フラップは、前記閉鎖位置へ移動するとともに、前記容器から前記膨張針を抜き出す際に前記弁の一部分と少なくとも部分的に密封状に係合するよう構成されていることが好ましい。
前記弾性的可撓性フラップはゴムシートを含むことが好ましい。
【００１３】
前記弁は、ゴム或いはゴム状合成物を含む弾性的可撓性材料で形成されたパッキン（グロメット）を含むことが好ましい。
前記容器は、液体及び／又は固体潤滑剤が少なくとも部分的に充填されていることが好ましい。
前記容器は、その内容積の少なくとも一部分に於いて液体潤滑剤を吸収しこれにより分散させるよう構成された潤滑剤吸収材が少なくとも部分的に充填されていることが好ましい。
【００１４】
液体吸収剤は、前記容器の内容積の５０％を超えて充填するよう構成されていることが好ましい。
前記潤滑剤吸収材は詰め物を含むことが好ましい。
あるいは、前記容器は、前記容器の内容積の少なくとも一部分を充填するとともに、前記容器の内容積の少なくとも一部分に於いて液体及び／又は固体潤滑剤を分散させるよう構成された粒子を含んでいてもよい。
前記粒子は前記容器の内容積の約７５％を充填するよう構成されていることが好ましい。
あるいは、前記容器は、固体潤滑剤を少なくとも部分的に含む潤滑粒子により少なくとも部分的に充填されていてもよい。
潤滑粒子は、前記閉鎖手段が前記開口位置にある時に前記容器の前記開口部を通過するのを防止される寸法に形成されていてもよい。
容器は、前記容器を開口して前記容器内部の前記潤滑粒子を捕らえることを可能にする開口手段を含んでいてもよい。
第２の発明は、弾性的に可撓性があり実質的に気密状態の弁を有する物品を膨張させるのに適した膨張針の外側長手表面に給油するよう構成された容器を提供し、前記容器は、前記膨張針の長手軸心と実質的に一致する方向に、前記膨張針の縦方向長さの少なくとも一部分を通過させる開口部を含み、前記容器は、少なくとも部分的に固体潤滑剤で形成された複数の潤滑粒子を含むよう構成され、前記粒子と、前記開口部を形成する前記容器の口部とは、前記粒子が前記開口部を通過するのを防止するような寸法に形成されている。
【００１５】
前記固体潤滑剤は前記潤滑粒子の外側表面に含まれるのが好ましい。
記固体潤滑剤は少なくとも部分的にシリコーンを含むのが好ましい。
前記固体潤滑剤はシリコーン粒体を含むのが好ましい。
前記容器の内容積の約７５％までシリコーン粒体で充填されているのが好ましい。
前記シリコーン粒体は実質的に球体であるのが好ましい。
【００１６】
前記潤滑粒子は弾性的に可撓性であって、前記潤滑粒子の弾性変形により前記潤滑粒子の前記開口部への通過を容易にすることが好ましい。
あるいは、前記容器は、前記容器を開いて前記容器内部の前記潤滑粒子を捕らえることを可能にする開口手段を含んでいてもよい。
前記開口手段は、閉鎖手段を介して閉鎖可能な相対的に大きな閉鎖可能開口を含み、前記開口は、前記閉鎖手段が開口位置へ移動した際に前記潤滑粒子を通過させるように構成されていることが好ましい。
【００１７】
あるいは、前記開口手段は蝶番を含んでいてもよい。
第３の発明は、少なくとも部分的に固体潤滑剤で形成された弾性的可撓性潤滑粒子を提供し、前記弾性的可撓性潤滑粒子は、前記潤滑粒子を十分変形させるに十分な所定の力を付与した際、第１及び第２の発明の前記容器の前記開口部を通過するよう構成されていることを特徴とする。
第４の発明は、膨張針収納装置を提供し、この膨張針収納装置は本体を含み、前記本体は、少なくとも部分的に前記本体を通過する通路を形成し、前記通路は、弾性的に可撓性があり実質的に気密状態の弁を有する物品を膨張させるのに適した膨張針を受容するように構成されており、前記通路は、前記膨張針が前記通路内部に適切に受容された時に前記膨張針の長手軸心が前記通路の長手軸心と実質的に一致するように、前記膨張針を受容するように構成されており、前記本体は、前記通路の少なくとも一部分を形成するよう構成された弾性的可撓性保持手段を含み、前記弾性的可撓性保持手段は前記通路内部への前記膨張針挿入時に弾性的に変形するよう構成されており、これにより、前記膨張針が前記通路へ挿入された時に前記弾性的可撓性保持手段は前記膨張針の外側表面に所定の力を付与し、その結果、前記膨張針と前記本体とに所定の力が付与されて、前記膨張針が前記通路から取り出されるまで、前記膨張針は前記通路内部に保持されるよう構成されている。
前記通路は前記本体全体に延びていることが好ましい。
前記通路は断面形状が実質的に円形であることが好ましい。
【００１８】
前記弾性的可撓性保持手段は前記本体を含み、前記本体は、前記通路を除いて中実であるとともに高密度発泡ゴムのような弾性的可撓性材で形成されていることが好ましい。
前記本体は円筒状形状であることが好ましい。
前記通路の長手軸心は前記本体の長手軸心と実質的に一致していることが好ましい。
前記通路の直径は、通路が変形されていない場合、前記膨張針で膨張させられるよう構成された容器の弾性的可撓性で実質上気密状態の弁を貫通するよう構成された前記膨張針の一部分の直径よりも大きく、そして、ポンプに螺合接合されるよう構成された前記膨張針の拡張端部よりも小さいことが好ましい。
【００１９】
前記本体は前記通路を複数個含むことが好ましい。
前記本体は別の通路を含み、前記別の通路は、前記通路よりも大きな直径を有するとともに、可撓性の細長い部材が通過するよう構成されており、前記本体は、前記可撓性細長部材に支承されると前記可撓性細長部材の下方端部から垂れ下がるよう構成されていることが好ましい。
第５の発明は、膨張針収納装置を提供し、この膨張針収納装置は本体を含み、前記本体は、弾性的可撓性で実質上気密状態の弁を有する容器を膨張させるのに適した膨張針を前記本体に関して固定するためのクランプ手段を有し、前記クランプ手段は前記本体から延設されるとともに、膨張針がクランプ手段と前記本体の一部との間で固定される閉鎖位置と、膨張針を前記収納装置から取り外すことができる開口位置との間で移動するよう構成され、前記クランプ手段は、ポンプと螺合接続されるよう構成された前記膨張針の端部に近接した前記膨張針の拡張部分の周囲で前記膨張針を固定するよう構成されている。
第５の発明の前記膨張針収納装置の本体と前記クランプ手段とは対応凹凸部を含み、これらの対応凹凸部は、前記クランプ手段が前記閉鎖位置にあるとき膨張針の前記拡張部分を少なくとも部分的に包囲するよう構成され、これにより、前記膨張針の長手軸心と実質的に一致する方向に於いて実質的な膨張動作を防止するよう構成されていることが好ましい。
第５の発明の前記膨張針収納装置は更に、クランプ手段を前記閉鎖位置に引き止めるよう構成された戻り止め手段を含むことが好ましい。
前記クランプ手段は、本体に関して旋回可能なアームを含むことが好ましい。
第４及び第５の発明の前記膨張針収納装置は、それぞれ、第１及び第２の発明の容器とともに適切に使用することが好ましい。
第４及び第５の発明の膨張針収納装置及び、第１及び第２の発明の容器は、それぞれ、第４又は第５の発明の膨張針収納装置と第１又は第２の発明の容器とを一緒に取り付けるための対応取り付け手段を含んでいてもよい。
第６の発明は、弾性的に可撓性があり実質的に気密状態の弁を有する容器を膨張させるに適した膨張針を収納する方法を提供し、この方法は前記膨張針を弾性的可撓性を有する本体内部に形成された通路内へ挿入して、これにより、前記膨張針の長手軸心を前記通路の長手軸心と実質的に一致させるとともに、前記弾性的可撓性を本体を、前記通路内部に於いて、使用に際しポンプと螺合接続されるよう構成された前記膨張針の拡張端部の存在により少なくとも部分的に弾性的に変形させる工程を含む。
本発明の上記要約及び特許請求の範囲に於いて、明白な表現或いは必要な暗示により文脈に於いて別様に解釈されることが要求される場合を除いて、“含む”という表現は“包含する”という意味で使用されている。つまり、具体的に記載された特徴は本発明の種々の実施形態に於いて更なる特徴と関連づけることができる。
【発明を実施するための最良の形態】
【００２０】
本発明の好ましい実施例を、例示のみの目的で、添付図面を参照にして以下説明する。
図１−図６を参照して、膨張針給油容器１０は全体的に、開口１４と取付け用突出部１６とを有するフットボール状容器１２を含む。膨張針給油容器１０は更に紐１８を含み、この紐１８は、紐１８と突出部１６とに取り付けられるクリップ１９との係合を介して膨張針給油容器１０に取り付けられる。例えば紐１８は、使用者の首に掛けることもできるし、膨張針給油容器１０を、ポンプや関連する膨張針付近の使いやすい場所に掛けておくように使用することができる。
【００２１】
フットボール状容器は中空であり、図８に示すように、詰め物２０で充填されている。詰め物２０は容器１２の内容積を全体的に充填するよう構成されている。  容器１２を詰め物２０で全体的に充填した後、開口１４を介して液体潤滑剤（図示せず）を容器１２内部に注入する。容器１２内部に注入された液体潤滑剤は詰め物２０に吸収される。従って、詰め物２０により、液体潤滑剤が容器１２全体に確実に分散させられる。
【００２２】
図１−図８を参照して、容器は、その長手軸心が上方向へ伸張するように向けられている。開口１４は容器１２の上端部付近に位置している。図４を参照して、開口１４は容器１２の口部２２により形成されている。ゴムパッキン２４（図５−７参照）が容器１２の口部２２に取り付けられている。
ゴムパッキン２４は、全体的にドーナツ状ゴムパッキンであり、ゴムパッキン２４の外側環状表面に形成され正方形状の断面を有する溝２６を含む。溝２６は容器１２の口部２２の縁部２８を受容するよう構成されている。
【００２３】
全体的にドーナツ状ゴムパッキン２４の中央円筒状行き止り通路３０は、ゴムパッキン２４の内側円筒状表面３４から伸張する円形ラバーシート３２によりゴムパッキン２４を貫通しないようになっている。円形ラバーシート３２は内側円筒状表面３４に取り付けられていて、円筒状行き止り通路３０の一端を横切るように伸張している。円形ラバーシート３２は、内側円筒状表面３４周囲の円周長さの３分の２未満の部分に取り付けられている。従って、非取付領域４２（図５参照）は自由に弾性的に屈曲して、ゴムパッキン２４を貫通する通路３５が形成される。
【００２４】
ゴムパッキン２４は、円形ラバーシート３２が容器１２の壁４３の内側に位置するように容器１２の口部２２へ溝２６を介して取り付けられる。図９を参照して、ポンプ３８の膨張針３６を円筒状行き止り通路３０へ挿入することにより、膨張針３６の端部４０が、円形ラバーシート３２の非取付領域４２（図５参照）を容器１２内部へ押し込み、これにより、通路３５が形成されて膨張針３６が通路３５を貫通する。ゴムパッキン２４を貫通して、膨張針３６は詰め物２０内部へ入る。その結果、膨張針３６の外側円筒状表面が潤滑剤で被覆されることになる。
【００２５】
膨張針３６を容器１２から取り出すと、ゴムパッキン２４の非取付領域４２はその初期位置に再び戻り、そこで、ゴムパッキン２４の内側円筒状表面３４を密封することになる（図７，８参照）。容器１２から膨張針３６を取り出すと、膨張針３６は給油されて可膨張性物品の弁への挿入が可能な状態になる。円形ラバーシート３２の非取付領域４２が図７，８の閉鎖位置にある場合、非取付領域４２はゴムパッキン２４の内側円筒状表面３４を全体的に密封して、潤滑剤の容器１２の開口１４への通過を防止する。
【００２６】
図１０−図１４を参照して、膨張針収納装置４３は円筒状部材４４を含み、この円筒状部材４４は、高密度発砲ゴムで形成され且つ、円筒状部材４４の長手軸心と実質的に平行な長手軸心を持つ５つの孔４６、４８、５０、５２、５４を有している。孔４６―５４は、円筒状部材４４の上端部から円筒状部材４４の長手方向に完全に貫通して、下方端部へと伸張している。従って、孔４６―５４は、円筒状部材４４の上下端部表面５６，５８それぞれを介して円筒状部材４４の端部に存在する。
【００２７】
孔４６は、その長手軸心が円筒状部材４４の長手軸心と実質的に一致するように円筒状部材４４内部に位置する中央孔である。孔４８−５４は、孔４６―５４のそれぞれの軸心が実質的に平行となり且つ孔４８−５４各々は中央孔４６から実質的に同一距離になるように、中央孔４６の周りに設けられている。孔４８−５４は、中央孔４６よりも、わずかに円筒状部材４４の外側円筒状表面に接近している。
【００２８】
図９を参照して、孔４８−５４の直径は、膨張針３６の端部４０（図９参照）の直径よりも大きく、且つ、膨張針３６の拡張端部６０（これはポンプ３８と螺合係合するよう設計されている）の直径よりは小さい。膨張針３６は、孔４８−５４のうちのひとつの孔の上端部内へ図９に示す膨張針３６の端部４０を挿入することにより、円筒状部材４４の孔４８−５４のうちのひとつの孔内へ格納することができる。孔４８−５４のうちのひとつの孔の長手方向長さに沿って、膨張針３６の端部４０を下方へ挿入することにより、膨張針３６の拡張端部６０が円筒状部材４４の上端部表面５６に当接する。膨張針３６の上部拡張端部６０に対して下方圧力を付与することにより、孔４８−５４のうちのひとつの孔の上端部は弾性的に変形拡張する。膨張針３６を挿入する孔がこのように変形することにより、円筒状部材４４の高密度発砲ゴム材が膨張針３６の上部拡張端部６０周囲で収縮することになり、これにより、膨張針３６を把持するとともに円筒状部材４４内部で膨張針３６を堅固に保持することになる。
【００２９】
中央孔４６の直径は孔４８−５４の直径よりも大きく、且つ、図１の紐１８の通路となりうるよう設計されている。紐１８を円筒状部材４４の中央孔４６内へ挿入することにより、円筒状部材４４は、紐１８から延設されているクリップ１９（図１参照）と接触するまで、紐１８の長さに沿って滑らせることができる。従って、円筒状部材４４はクリップ１９とフットボール状容器１２とに近接して位置することになり、これにより、紐１８が人の首に掛けられている場合、膨張針収納装置４２と膨張針給油装置１０は下方に垂れ下がることになる。
【００３０】
中央孔４６を貫通するよう適切に寸法を決められ一端部から伸張するフックを有する１本のワイアのような物体を、紐１８を中央孔４６から引き出すために有用に使用することができる。
本明細書に開示及び定義された本発明は、本文及び／又は図面に述べられた或いはそれらから明白な個々の特徴の２つ以上の全ての組み合わせを含むことは理解されよう。これらの異なる組み合わせはすべて本発明の種々の代替形態を構成するものである。本発明から逸脱することなく、ここに記述及び図示された実施形態に対して種々の変更及び改変が可能である。
【図面の簡単な説明】
【００３１】
【図１】フットボール形状の、本発明の膨張針給油容器の一例の斜視図である。
【図２】図１のフットボール状膨張針給油容器の側面図である。
【図３】図１の容器の平面図である。
【図４】図１の線a-aに沿った、図１の容器の縦断面図である。
【図５】図１の容器のゴムパッキンの平面図である。
【図６】図５のゴムパッキンの側面図である。
【図７】図５の線b-bに沿った図５のゴムパッキンの断面図である。
【図８】図４と同様の縦断面図であり、ポンプと、関連する膨張針の一例を示す縦断面図を含み、膨張針が容器の外部で且つゴムパッキン付近に位置している状態を示す。
【図９】図８の容器と、関連するポンプ及び膨張針の縦断面図であり、膨張針がゴムパッキンを介して容器内部に挿入されている状態を示す。
【図１０】膨張針収納装置の一例の斜視図である。
【図１１】図１０の線A-Aに沿った縦断面図である。
【図１２】図１０の装置の平面図である。
【図１３】図１０の膨張針収納装置の斜視図であり、該装置全体に伸張している中央孔に、紐が挿入されている。
【図１４】図１３の装置に類似した膨張針収納装置の斜視図であり、４本の膨張針が図１３の膨張針収納装置の４つの外側孔に挿入されている。
【図１】
2005520992.tif 000003
【図２】
2005520992.tif 000004
【図３】
2005520992.tif 000005
【図４】
2005520992.tif 000006
【図５】
2005520992.tif 000007
【図６】
2005520992.tif 000008
【図７】
2005520992.tif 000009
【図８】
2005520992.tif 000010
【図９】
2005520992.tif 000011
【図１０】
2005520992.tif 000012
【図１１】
2005520992.tif 000013
【図１２】
2005520992.tif 000014
【図１３】
2005520992.tif 000015
【図１４】
2005520992.tif 000016
【国際調査報告】
2005520992.tif 000017
2005520992.tif 000018
2005520992.tif 000019
2005520992.tif 000020
2005520992.tif 000021